(57)【要約】【課題】  蓋体が絶縁座体から離脱するのを防ぎ、フレキシブルフラットケーブルを確実に接続することができるコネクタの提供。【解決手段】  絶縁座体３０のケーブル挿入空間３２内に接続端子５０を露出させ、絶縁座体３０の両側部に設けた係止凹部３４に脱落防止板６０を装着し、絶縁座体３０の両側面にガイド溝３３を形成し、その前端部に位置決め突起３３ａを設け、ケーブル挿入空間３２の前面を開閉する蓋体４０の両側部にアーム４２を設け、アーム４２の先端部にガイド溝３３と係合するスライド突起４２ａを設け、脱落防止板６０は、底板６１と、ガイド溝３３及びアーム４２を被覆する支持板６２と、係止凹部３４に係合する挿入板６３を一体にして成り、蓋体４０を引き出した時、支持板６２がアーム４２の変形を規制する。【選択図】          図４
0003103314.tif 000002
【実用新案登録請求の範囲】
【請求項１】
前面が開口したケーブル挿入空間を有する絶縁座体と、該ケーブル挿入空間の前面を開閉する蓋体と、前記ケーブル挿入空間内に露出する複数の接続端子と、一対の脱落防止板とを備え、前記絶縁座体の両側面に前後方向に沿ってガイド溝を形成すると共に、該ガイド溝の前端部に位置決め突起を形成し、前記蓋体の両側部に後方へ延びるアームを設け、該アームの先端部に、前記絶縁座体のガイド溝に摺動可能に係合し、且つ、前記位置決め突起に当たって摺動が規制されるスライド突起を設け、前記絶縁座体の両側部にそれぞれ係止凹部を形成し、前記脱落防止板は、前記絶縁座体の側部及びアームの下方に配置される底板と、該底板から起立して前記ガイド溝及びアームを被覆する支持板と、前記底板から起立して前記絶縁座体の係止凹部に係合される挿入板とを一体に形成して成り、前記蓋体を前方へ摺動させて引き出した時、前記支持板が前記アームのガイド溝から脱出する方向への変形を規制することを特徴としたコネクタ。
【請求項２】
前記アームの先端部において前記スライド突起と逆側の面に膨隆部を形成した請求項１に記載のコネクタ。
【請求項３】
前記収納凹部の内部に突軸を設け、前記脱落防止板の挿入板に、前記突軸と係合する係止切欠を形成した請求項１又は２に記載のコネクタ。
【請求項４】
前記脱落防止板の支持板は、その上端が内方へ屈曲した略Ｌ字状に形成されている請求項１乃至３のいずれかに記載のコネクタ。
【請求項５】
前記脱落防止板は、直立した平板である請求項１乃至３のいずれかに記載のコネクタ。
【考案の詳細な説明】
【技術分野】
【０００１】
本考案は、フレキシブル回路基板のコネクタに関する。
【背景技術】
【０００２】
図１及び図２に示すように、従来のフレキシブル回路基板用コネクタ１０は、細長状の絶縁座体１１と、後方に開口した断面コ字状の蓋体１２とから成り、プリント配線板７０に設置される。
絶縁座体１１の両側面には前後方向に延びるガイド溝１１ａを形成し、ガイド溝１１ａの前端には位置決め突起１１ｂを突出する。
絶縁座体１１の内部には、前方に開口する挿入空間１４を形成し、絶縁座体１１の後壁には挿入空間１４と外部とを連通する複数の端子係合孔１５を穿設する。また、プリント配線板７０の回路と電気的に接続された接続端子５０を、各端子係合孔１５内にそれぞれ挿通してある。
【０００３】
蓋体１２は、上中間部に切欠が形成されて略コ字状に形成され、その裏面両側から後方に向けてそれぞれアーム１３が延出され、切欠の下縁から後方へ向けて押圧板１６が突出されている。
また、アーム１３の内面先端に設けたスライド突起１３ｂを、絶縁座体１１のガイド溝１１ａに摺動可能に係合することにより、蓋体１２が絶縁座体１１に開閉自在に組み付けられる。さらに、蓋体１２を引き出すと、スライド突起１３ｂが絶縁座体１１の位置決め突起１１ｂに当たって、蓋体１２を完全に開けた時の引き出し距離が決定されると共に、蓋体１２が脱落するのを防ぐようになっている。
【０００４】
そして、蓋体１２を引き出すと、絶縁座体１１の挿入空間１４が連結板１６で遮蔽されずに開放されるため、フレキシブルフラットケーブル（ＦＦＣ）８０の端部を挿入空間１４へ差し込むことができる。
この状態で蓋体１２を閉じると、押圧板１６が挿入空間１４の内部に入り込んで、ＦＦＣ８０を押さえて固定し、ＦＦＣ８０が接続端子５０を介してプリント配線板７０に電気的に安定して接続されるようになっている。
【０００５】
しかしながら、このようなコネクタ１０では、蓋体１２のアーム１３が板状に形成されると共に、その先端にスライド突起１３ｂを設ける必要があるので、厚みを大きくすることができず、このため、強度が不足して変形する虞がある。特に、蓋体１２を引き出す力が大きいと、アーム１３の変形によってスライド突起１３ｂと位置決め突起１１ｂとの係合が外れ、蓋体１２が絶縁座体１１から脱落してしまう。
蓋体１２を再度絶縁座体１１に嵌め込んでも、アーム１３が変形しているので、ＦＦＣ８０を挿入空間１４にしっかり固定することができず、ＦＦＣ８０とコネクタ１０との接触不良を生じてしまう。
【考案の開示】
【考案が解決しようとする課題】
【０００６】
本考案が解決しようとする課題は、蓋体が絶縁座体から離脱するのを防ぎ、フレキシブルフラットケーブルを確実に接続することができるコネクタを提供することにある。
【課題を解決するための手段】
【０００７】
本考案のコネクタは、前面が開口したケーブル挿入空間を有する絶縁座体と、該ケーブル挿入空間の前面を開閉する蓋体と、前記ケーブル挿入空間内に露出する複数の接続端子と、一対の脱落防止板とを備え、前記絶縁座体の両側面に前後方向に沿ってガイド溝を形成すると共に、該ガイド溝の前端部に位置決め突起を形成し、前記蓋体の両側部に後方へ延びるアームを設け、該アームの先端部に、前記絶縁座体のガイド溝に摺動可能に係合し、且つ、前記位置決め突起に当たって摺動が規制されるスライド突起を設け、前記絶縁座体の両側部にそれぞれ係止凹部を形成し、前記脱落防止板は、前記絶縁座体の側部及びアームの下方に配置される底板と、該底板から起立して前記ガイド溝及びアームを被覆する支持板と、前記底板から起立して前記絶縁座体の係止凹部に係合される挿入板とを一体に形成して成り、前記蓋体を前方へ摺動させて引き出した時、前記支持板が前記アームのガイド溝から脱出する方向への変形を規制する。
【０００８】
前記アームの先端部において、前記スライド突起と逆側の面に膨隆部を形成することがある。
前記収納凹部の内部に突軸を設け、前記脱落防止板の挿入板に、前記突軸と係合する係止切欠を形成しても良い。
前記脱落防止板の支持板は、その上端が内方へ屈曲した略Ｌ字状とするか、或いは、直立した平板とすることができる。
【考案の効果】
【０００９】
本考案によれば、蓋体のアームの変形が脱落防止板の支持板によって規制されるので、蓋体を引き出したときに、アームが変形した結果、絶縁座体のガイド溝から脱出する心配が無く、このため、耐久性が高まり、接触不良の発生を防止することができる。
【考案を実施するための最良の形態】
【００１０】
以下、本考案の実施例を図面に基づいて詳細に説明する。
図３及び図４に示すように、本考案のコネクタ２０は、前面が開口したケーブル挿入空間３２を有する細長状の絶縁座体３０と、絶縁座体３０に装着されて、ケーブル挿入空間３２の前面を開閉する蓋体４０と、ケーブル挿入空間３２内に露出する複数の接続端子５０と、一対の脱落防止板６０とを備える。
【００１１】
上記従来のコネクタ１０と同様に、絶縁座体３０の後壁に形成された複数の係合孔が、ケーブル挿入空間３２と外部とを連通し、これらの係合孔にそれぞれ接続端子５０が挿通されている。
また、絶縁座体３０の両側面には、前後方向に沿ってガイド溝３３が形成され、ガイド溝３３の前端部には位置決め突起３３ａが設けられる。
図４に示すように、ガイド溝３３よりも内側において、絶縁座体３０の後端部両側寄りには係止凹部３４が形成され、図５に示すように、係止凹部３４の底面（前面）から後方に向かって突軸３４ａが突出されている。
【００１２】
蓋体４０は、図４に示すように、その中央上部に切欠が形成されて、正面視で上方が開口したコ字状に形成される。
また蓋体４０の裏面両側には後方へ延びるアーム４２が設けられ、アーム４２の先端部内面には、絶縁座体３０のガイド溝３３に摺動可能に係合するスライド突起４２ａが突出されると共に、アーム４２の先端部外面には、膨隆部４２ｂが形成されている。
さらに、蓋体４０の中央上部に形成された切欠の下縁から後方へ向かって、押圧板４１が延びている。
【００１３】
一対の脱落防止板６０は左右対称に形成されて、コネクタ２０の両側部に装着され、それぞれ底板６１、支持板６２及び挿入板６３を一体に形成して成る。
底板６１は、コネクタ２０の側部下方に配置される。
支持板６２は、底板６１の外側縁に起立すると共に、その上端を内方へ屈曲して略Ｌ字状に形成され、絶縁座体３０のガイド溝３３及び蓋体４０のアーム４２を外方から被覆するようになっている。
挿入板６３は、底板６１の内側縁後端部に起立し、絶縁座体３０の係止凹部３４に係合される。また、挿入板６３の前端縁には、突軸３４ａと係合する係止切欠６３ａが形成される。
図６に示すように、挿入板６３を係止凹部３４へ挿入して、係止切欠６３ａと突軸３４ａとを係合することにより、図３に示すように、脱落防止板６０はコネクタ２０の両側部に装着される。
【００１４】
絶縁座体３０、蓋体４０、接続端子５０及び脱落防止板６０を組み付けてコネクタ２０を構成した後、脱落防止板６０の底板６１をプリント配線板７０に溶着することにより、図７及び図９に示すように、コネクタ２０がプリント配線板７０に取り付けられる。
ＦＦＣ８０をプリント配線板７０に接続する場合は、図７及び図８に示すように、蓋体４０を移動できなくなるまで前方に引き出して、ケーブル挿入空間３２の前面を開放する。
この時、アーム４２の先端部内面に設けたスライド突起４２ａがガイド溝３３の位置決め突起３３ａに当接し、アーム４２の先端部外面に設けた膨隆部４２ｂが脱落防止板６０の支持板６２の内側に位置して、アーム４２が外側へ変形するのを防ぐため、強い力が働いても蓋体４０が絶縁座体１１から離脱することがない。
【００１５】
ＦＦＣ８０の端部をケーブル挿入空間３２へ差し込んで、接続端子５０に接触させてから、逆の操作を行って蓋体４０を閉じる。
すると、アーム４２のスライド突起４２ａがガイド溝３３の後端部側へスライドすると共に、押圧板４１がケーブル挿入空間３２内へ進入して、押圧板４１とケーブル挿入空間３２の上面とがＦＦＣ８０を挟持し、ＦＦＣ８０が接続端子５０を介してプリント配線板７０に確実に接続される。
【００１６】
なお、脱落防止板の支持板は、実施例のようにその上端を内側へ屈曲せず、単なる直立した平板とすることもできる。
また、アームの先端部外面に膨隆部４２ｂを形成しなくても良い。この場合、脱落防止板の挿入板と支持板との距離を実施例のものより狭くして、支持板をガイド板に接近させる。
【図面の簡単な説明】
【００１７】
【図１】従来のコネクタの使用状態における斜視図。
【図２】図１の２−２線断面図。
【図３】本考案の実施例を示すコネクタの斜視図。
【図４】本考案の実施例を示すコネクタの分解斜視図。
【図５】図４の５−５線断面図。
【図６】図３の６−６線断面図。
【図７】本考案のコネクタの蓋体を開けた状態における斜視図。
【図８】図７の８−８線断面図。
【図９】本考案のコネクタの蓋体を閉じた状態における斜視図。
【図１０】図９の９−９線断面図。
【符号の説明】
【００１８】
２０  コネクタ
３０  絶縁座体
３２  ケーブル挿入空間
３３  ガイド溝
３３ａ位置決め突起
３４  係止凹部
３４ａ  突軸
４０  蓋体
４１  押圧板
４２  アーム
４２ａ  スライド突起
４２ｂ  膨隆部
５０  接続端子
６０  脱落防止板
６１  底板
６２  支持板
６３  挿入板
６３ａ  係止切欠
７０  プリント配線板
８０  フレキシブルフラットケーブル（ＦＦＣ）
【図１】
0003103314.tif 000003
【図２】
0003103314.tif 000004
【図３】
0003103314.tif 000005
【図４】
0003103314.tif 000006
【図５】
0003103314.tif 000007
【図６】
0003103314.tif 000008
【図７】
0003103314.tif 000009
【図８】
0003103314.tif 000010
【図９】
0003103314.tif 000011
【図１０】
0003103314.tif 000012